(57)【特許請求の範囲】
【請求項１】
コンタクトレンズを収容するとともに上方に向けて開口した凹状の第一及び第二収容部が並設されたケース本体部と、
該ケース本体部にヒンジを介して連結されて前記第一収容部に被着された開閉可能な第一蓋部と、
前記ケース本体部にヒンジを介して連結されて前記第二収容部に被着された開閉可能な第二蓋部と、
が備えられたコンタクトレンズケースにおいて、
前記ケース本体部は、前記第一収容部の径方向外側に全周に亘って周設された第一外殻部と、前記第二収容部の径方向外側に全周に亘って周設された第二外殻部と、を備え、
前記第一蓋部及び前記第二蓋部に、
当該蓋部が閉じられた状態において前記第一収容部または前記第二収容部の上に配置される天壁部と、
当該蓋部が閉じられた状態において前記天壁部から下側に向けて突出し、前記第一外殻部または前記第一外殻部の上方に配置されると共に前記第一収容部または前記第二収容部の外周に嵌合される周壁部と、
前記周壁部の外周面から突出する鍔部と、
当該蓋部が閉じられた状態において前記鍔部の裏面から下側に向かって突出し、前記第一外殻部または前記第二外殻部の外周面に沿って配置される脚部と、がそれぞれ設けられ、
前記第一蓋部及び前記第二蓋部を開いた状態にして前記ケース本体部を裏返し、下向きに突出した前記脚部を接地面にそれぞれ接地させたときに、前記ケース本体部と前記第一蓋部とを連結する前記ヒンジ及び前記ケース本体部と前記第二蓋部とを連結する前記ヒンジはそれぞれ、前記第一蓋部の開閉角度及び前記第二蓋部の開閉角度がそれぞれ９０度以上１８０度以下の状態で、前記ケース本体部と、前記第一蓋部及び前記第二蓋部のうち前記脚部以外の部分と、を前記接地面から離間させながら、当該コンタクトレンズケースを自立させることを可能にすることを特徴とするコンタクトレンズケース。
【請求項２】
請求項１に記載のコンタクトレンズケースにおいて、
前記第一収容部及び前記第一蓋部を有する第一ケース部材と、前記第二収容部及び前記第二蓋部を有する第二ケース部材と、が別体に形成されており、
前記第一ケース部材と前記第二ケース部材とが連結部を介して着脱可能に連結されていることを特徴とするコンタクトレンズケース。
【請求項３】
請求項１または２記載のコンタクトレンズケースにおいて、
前記第一蓋部及び前記第二蓋部がそれぞれ開いた状態で、平面視において該第一蓋部及び第二蓋部が互いに前記ケース本体部の中心点回りに１８０度回転対称の位置に配設されていると共に、前記第一蓋部及び前記第二蓋部にそれぞれ設けられた前記脚部同士が互いに前記中心点回りに１８０度回転対称の位置に配設されていることを特徴とするコンタクトレンズケース。
【発明の詳細な説明】
【技術分野】
【０００１】
本発明は、コンタクトレンズケースに関するものである。
【背景技術】
【０００２】
この種のコンタクトレンズケースとして、従来、例えば下記特許文献１に示されているような、ケア剤容器のキャップに着脱可能なコンタクトレンズケースが知られている。このコンタクトレンズケースは、コンタクトレンズを収容する凹状の収容部を有するケース本体部と、ケース本体部にヒンジを介して連結されて収容部に被着される開閉可能な蓋部と、が備えられている。ケース本体部は、左右のコンタクトレンズを別々に収容できるように、基台部に一対の収容部が並設されている。また、基台部の中間部分には、ケア剤容器のキャップの鍔部に対して嵌合可能な嵌合凹部が形成されている。このコンタクトレンズケースによれば、蓋部を開けると共にケース本体部を裏返した姿勢で前記嵌合凹部をケア剤容器のキャップの鍔部に嵌合させることで、裏返した姿勢で保持される。これにより、収容部の内側や蓋部の裏面の液切れが良くなり、水洗後のコンタクトレンズケースを良好に自然乾燥させることができる。
【先行技術文献】
【特許文献】
【０００３】
【特許文献１】特開２０１０−１７８９９４号公報
【発明の概要】
【発明が解決しようとする課題】
【０００４】
上記した従来のコンタクトレンズケースでは、自然乾燥を行う際にケア剤容器と組み合わせて使用する必要があるが、ケース単体でも良好な自然乾燥を行うことができるコンタクトレンズケースの要望がある。
【０００５】
そこで、本発明は、上記した要望に応えるべく、ケース単体で良好な自然乾燥を行うことができるコンタクトレンズケースを提供することを目的としている。
【課題を解決するための手段】
【０００６】
本発明に係るコンタクトレンズケースは、コンタクトレンズを収容するとともに上方に向けて開口した凹状の第一及び第二収容部が並設されたケース本体部と、該ケース本体部にヒンジを介して連結されて前記第一収容部に被着された開閉可能な第一蓋部と、前記ケース本体部にヒンジを介して連結されて前記第二収容部に被着された開閉可能な第二蓋部と、が備えられたコンタクトレンズケースにおいて、前記ケース本体部は、前記第一収容部の径方向外側に全周に亘って周設された第一外殻部と、前記第二収容部の径方向外側に全周に亘って周設された第二外殻部と、を備え、前記第一蓋部及び前記第二蓋部に、当該蓋部が閉じられた状態において前記第一収容部または前記第二収容部の上に配置される天壁部と、当該蓋部が閉じられた状態において前記天壁部から下側に向けて突出し、前記第一外殻部または前記第一外殻部の上方に配置されると共に前記第一収容部または前記第二収容部の外周に嵌合される周壁部と、前記周壁部の外周面から突出する鍔部と、当該蓋部が閉じられた状態において前記鍔部の裏面から下側に向かって突出し、前記第一外殻部または前記第二外殻部の外周面に沿って配置される脚部と、がそれぞれ設けられ、前記第一蓋部及び前記第二蓋部を開いた状態にして前記ケース本体部を裏返し、下向きに突出した前記脚部を接地面にそれぞれ接地させたときに、前記ケース本体部と前記第一蓋部とを連結する前記ヒンジ及び前記ケース本体部と前記第二蓋部とを連結する前記ヒンジはそれぞれ、前記第一蓋部の開閉角度及び前記第二蓋部の開閉角度がそれぞれ９０度以上１８０度以下の状態で、前記ケース本体部と、前記第一蓋部及び前記第二蓋部のうち前記脚部以外の部分と、を前記接地面から離間させながら、当該コンタクトレンズケースを自立させることを可能にすることを特徴としている。
【０００７】
このような特徴により、コンタクトレンズケースを乾燥させる際には、第一蓋部及び第二蓋部をそれぞれ開いた状態で、ケース本体部を上下に反転させて裏返し、第一蓋部及び第二蓋部の下向きに突出した脚部を接地面にそれぞれ接地させる。これにより、コンタクトレンズケースは、裏返した姿勢で安定して自立する。
【０００８】
また、本発明に係るコンタクトレンズケースは、前記第一収容部及び前記第一蓋部を有する第一ケース部材と、前記第二収容部及び前記第二蓋部を有する第二ケース部材と、が別体に形成されており、前記第一ケース部材と前記第二ケース部材とが連結部を介して着脱可能に連結されていることが好ましい。
これにより、第一ケース部材と第二ケース部材とを別々に成形することができるので、二色成形を行うことなく、第一蓋部と第二蓋部との色分けを行うことが可能である。
また、連結部を外すことで第一ケース部材と第二ケース部材とを分離させることが可能であるので、第一ケース部材と第二ケース部材を重ね合わせた状態で携帯したり保管したりすることも可能であり、また、第一ケース部材と第二ケース部材とのうちの何れか一方だけを持ち運ぶことも可能である。
【０００９】
また、本発明に係るコンタクトレンズケースは、前記第一蓋部及び前記第二蓋部がそれぞれ開いた状態で、平面視において該第一蓋部及び第二蓋部が互いに前記ケース本体部の中心点回りに１８０度回転対称の位置に配設されていると共に、前記第一蓋部及び前記第二蓋部にそれぞれ設けられた前記脚部同士が互いに前記中心点回りに１８０度回転対称の位置に配設されていることが好ましい。
これにより、コンタクトレンズケースを裏返した姿勢で自立させたときの安定感が向上する。
【発明の効果】
【００１０】
本発明に係るコンタクトレンズケースによれば、裏返した姿勢で安定して自立させることができるので、ケース単体で良好な自然乾燥を行うことができる。
【図面の簡単な説明】
【００１１】
【図１】本発明の実施の形態を説明するためのコンタクトレンズケースの平面図であり、第一、第二蓋部がそれぞれ開いた状態を表した図である。
【図２】図１に示すＡ−Ａ´間の断面図である。
【図３】本発明の実施の形態を説明するための第一ケース部材（第二ケース部材）の斜視図であり、第一蓋部（第二蓋部）が開いた状態を表した図である。
【図４】本発明の実施の形態を説明するための第一ケース部材（第二ケース部材）の平面図であり、第一蓋部（第二蓋部）が開いた状態を表した図である。
【図５】図１に示すＢ−Ｂ´間の断面図である。
【図６】本発明の実施の形態を説明するためのコンタクトレンズケースの側面図であり、乾燥時の姿勢を表した図である。
【図７】本発明の実施の形態を説明するための連結部の断面図であり、第一ケース部材及び第二ケース部材の着脱時の状態を表した図である。
【図８】本発明の変形例を説明するためのコンタクトレンズケースの平面図である。
【図９】本発明の変形例を説明するための第一ケース部材（第二ケース部材）の斜視図である。
【発明を実施するための形態】
【００１２】
以下、本発明に係るコンタクトレンズケースの実施の形態について、図面に基づいて説明する。
【００１３】
図１、図２に示すように、コンタクトレンズケース１は、コンタクトレンズを保管するための合成樹脂からなるプラスチック容器であり、その概略構成としては、左右のコンタクトレンズをそれぞれ収容する一対の収容部（第一収容部２０Ｒ及び第二収容部２０Ｌ）が並設されたケース本体部２と、ヒンジ２２Ｒ，２２Ｌを介してケース本体部２にそれぞれ連結された蓋部（第一蓋部２１Ｒ及び第二蓋部２１Ｌ）と、を備えている。
【００１４】
なお、図２に示す鎖線ＯＲは第一収容部２０Ｒの中心軸線を示しており、図２に示す鎖線ＯＬは第二収容部２０Ｌの中心軸線を示している。また、図１に示す符号Ｐは、ケース本体部２の中心点を示しており、この中心点Ｐは、平面視において前記した２本の中心軸線ＯＲ，ＯＬ間の真中に位置している。本実施の形態では、上記した中心軸線ＯＲ，ＯＬに沿った方向を「軸方向」とし、中心軸線ＯＲ，ＯＬに直交する方向を「径方向」とし、中心軸線ＯＲ，ＯＬ周りの方向を「周方向」とする。また、第一、第二収容部２０Ｒ，２０Ｌの開口縁側を「上」とし、その反対側を「下」とする。また、第一収容部２０Ｒ及び第二収容部２０Ｌの並び方向（図１に示すＸ方向）を「平面視横方向」とし、その平面視横方向に直交する水平方向（図１に示すＹ方向）を「平面視縦方向」とする。
【００１５】
コンタクトレンズケース１は、別体に形成された一対のケース部材（第一ケース部材１１及び第二ケース部材１２）からなる。第一ケース部材１１は、上記した第一収容部２０Ｒと第一蓋部２１Ｒとを有する部材であり、第二ケース部材１２は、上記した第二収容部２０Ｌと第二蓋部２１Ｌとを有する部材である。これら第一ケース部材１１及び第二ケース部材１２は、同金型で成形された同一形状の部材であり、平面視横方向に隣接して配設されていると共に連結部（第一連結部２９Ｒ及び第二連結部２９Ｌ）を介して着脱可能に連結されている。
【００１６】
ここで、第一、第二ケース部材１１，１２の構成について詳しく説明する。
【００１７】
図３、図４に示すように、第一ケース部材１１は、略半球状に窪んで上方に向けて開口した凹状の第一収容部２０Ｒと、その第一収容部２０Ｒの径方向外側に全周に亘って周設された第一外殻部２３Ｒと、第一収容部２０Ｒの上端開口部に被着される開閉可能な第一蓋部２１Ｒと、第二ケース部材１２に連結するための第一連結部２９Ｒと、を備えている。
【００１８】
第一収容部２０Ｒは、縦断面視半円弧状に形成されたボール皿状の皿部であり、この第一収容部２０Ｒの内側には、コンタクトレンズケア用の液体が入れられた状態でコンタクトレンズが収容可能である。
第一外殻部２３Ｒは、中心軸線ＯＲを中心にして軸方向に延在する円筒形状の筒部である。この第一外殻部２３Ｒの内側には第一収容部２０Ｒが配設されており、第一外殻部２３Ｒの上端部が第一収容部２０Ｒの外周面に連結されている。
【００１９】
第一蓋部２１Ｒは、ヒンジ２２Ｒを介して第一外殻部２３Ｒの上端部に連結されたヒンジキャップであり、その概略構成としては、天壁部２４Ｒと、周壁部２５Ｒと、鍔部２６Ｒと、シール部２７Ｒと、一対の脚部２８Ｒ，２８Ｒと、を備えている。
【００２０】
天壁部２４Ｒは、平面視円形状の平板部であり、第一蓋部２１Ｒが閉じられた状態において中心軸線ＯＲに対して垂直に配置されると共に第一収容部２０Ｒの上に配置される。
周壁部２５Ｒは、天壁部２４Ｒの外縁から第一蓋部２１Ｒの裏側（第一蓋部２１Ｒが閉じられた状態では下側）に向けて突出した円筒形状の筒部である。この周壁部２５Ｒは、第一蓋部２１Ｒが閉じられた状態において第一外殻部２３Ｒの上方に配置されると共に第一収容部２０Ｒの上端部の外周に嵌合される。
【００２１】
鍔部２６Ｒは、周壁部２５Ｒの先端部（第一蓋部２１Ｒが閉じられた状態における下端部）の外周面から突出した平板状のフランジであり、周壁部２５Ｒの外周のうち、ヒンジ２２Ｒの径方向反対側（図４における右側）の位置に配設されている。この鍔部２６Ｒは、第一蓋部２１Ｒが閉じられた状態において第一連結部２９Ｒの上方に配置される。
シール部２７Ｒは、天壁部２４Ｒの裏面に突設された円筒形状の筒部であり、周壁部２５Ｒの内側に配設されている。このシール部２７Ｒは、第一蓋部２１Ｒが閉じられた状態において第一収容部２０Ｒの上端部の内側に嵌合される。
【００２２】
脚部２８Ｒは、第一蓋部２１Ｒの裏側に向かって突出した突起部であり、鍔部２６Ｒの裏面に突設されている。また、脚部２８Ｒは、平面視において周壁部２５Ｒの内周面に沿って円弧状に湾曲された壁状部である。一対の脚部２８Ｒ，２８Ｒは、鍔部２６Ｒの平面視縦方向の両側部分に対称に配設されている。これら一対の脚部２８Ｒ，２８Ｒは、第一蓋部２１Ｒが閉じられた状態において第一外殻部２３Ｒの外側にそれぞれ位置し、第一外殻部２３Ｒの外周面に沿って配置される。
【００２３】
上記した構成の第一蓋部２１Ｒを第一外殻部２３Ｒに連結するヒンジ２２Ｒは、平面視縦方向の全長に亘って延在する溝が形成された折り曲げ可能な板部であり、第一蓋部２１Ｒの周壁部２５Ｒの下端部の外周面と第一外殻部２３Ｒの上端部の外周面との間に介在されている。なお、この第一ヒンジ２２Ｒは、第一蓋部２１Ｒを９０度以上の角度で開くことができ、その開閉角度が９０度以上１８０度以下の状態でコンタクトレンズケース１を裏返し姿勢で自立させることを可能にするものである。
【００２４】
第一連結部２９Ｒは、第一外殻部２３Ｒの外周面からそれぞれ突設された一対の突出部３０Ｒ、３１Ｒからなる。これら一対の突出部３０Ｒ、３１Ｒは、中心軸線ＯＲに対する垂直面に沿って形成された板状部であり、第一外殻部２３Ｒの外周のうち、ヒンジ２２Ｒの径方向反対側（図４における左側）の位置に配設されている。また、一対の突出部３０Ｒ、３１Ｒは、平面視縦方向に間隔をあけて配設されている。
【００２５】
一方の突出部３０Ｒの先端部の下面には、第二ケース部材１２の他方の突出部３１Ｌの係合孔３５Ｌにアンダーカット嵌合する爪部３２Ｒ（係合部）が垂下されている。この爪部３２Ｒは、平面視横方向に沿って配設された壁状部であり、爪部３２Ｒの下端部の外面（他方の突出部３１Ｒ側の反対側を向いた面）には、下方に向かって内面側に傾斜した傾斜面３３Ｒが形成されている。
【００２６】
他方の突出部３１Ｒの上面には、第二ケース部材１２の一方の突出部３０Ｌが嵌め合わされる窪み部３４Ｒが形成されている。この窪み部３４Ｒは、平面視横方向の先端側の縁部及び平面視縦方向の内側（一方の突出部３０Ｒ側）の縁部まで切欠かれた段差部であり、この窪み部３４Ｒの底面には、第二ケース部材１２の一方の突出部３０Ｌの爪部３２Ｌが挿入される係合孔３５Ｒが形成されている。また、窪み部３４Ｒの平面視横方向に延在する上縁部には、下方に向かって内側に傾斜した傾斜面３６Ｒが形成されている。
【００２７】
第二ケース部材１２には、第二収容部２０Ｌと第二外殻部２３Ｌと第二蓋部２１Ｌと第二連結部２９Ｌとが備えられており、前記した第二蓋部２１Ｌは、ヒンジ２２Ｌを介して第二外殻部２３Ｌに連結されており、第二蓋部２１Ｌの鍔部２６Ｌの下面には、一対の脚部２８Ｌ，２８Ｌが備えられている。この第二ケース部材１２は、上述した第一ケース部材１１と同一形状であるため、第二ケース部材１２の詳しい構成については、第一ケース部材１１の符号のＲをＬに変更した符号を付すことで説明を省略する。
【００２８】
上記した構成からなる第一ケース部材１１及び第二ケース部材１２は、図１に示すように、平面視において互いに中心点Ｐ回りに１８０度回転対称の位置に配設されており、第一蓋部２１Ｒ及び第二蓋部２１Ｌがそれぞれ開いた状態では、平面視において第一蓋部２１Ｒ及び第二蓋部２１Ｌが互いに中心点Ｐ回りに１８０度回転対称の位置に配設されていると共に、第一蓋部２１Ｒの脚部２８Ｒ，２８Ｒ及び第二蓋部２１Ｌの脚部２８Ｌ，２８Ｌが互いに中心点Ｐ回りに１８０度回転対称の位置に配設されている。これにより、第一蓋部２１Ｒ及び第二蓋部２１Ｌがそれぞれ開いた状態では、第一収容部２０Ｒの平面視横方向の一方側（第二収容部２０Ｌ側の径方向反対側）に第一蓋部２１Ｒが配設され、また、第二収容部２０Ｌの平面視横方向の他方側（第一収容部２０Ｒ側の径方向反対側）に第二蓋部２１Ｌが配設されている。つまり、第一蓋部２１Ｒ、第一収容部２０Ｒ、第二収容部２０Ｌ、第二蓋部２１Ｌの順で平面視横方向に直列に並設されている。
【００２９】
また、上記した第一ケース部材１１及び第二ケース部材１２は、各々に設けられた連結部（第一連結部２９Ｒ及び第二連結部２９Ｌ）同士を着脱可能に連結させることで組み合わされている。すなわち、図１、図５に示すように、第一ケース部材１１の一方の突出部３０Ｒが第二ケース部材１２の他方の突出部３１Ｌの窪み部３４Ｌの内側に嵌め込まれ、第一ケース部材１１の一方の突出部３０Ｒの爪部３２Ｒが第二ケース部材１２の他方の突出部３１Ｌの係合孔３５Ｌにアンダーカット嵌合されている。また、第二ケース部材１２の一方の突出部３０Ｌが第一ケース部材１１の他方の突出部３１Ｒの窪み部３４Ｒの内側に嵌め込まれ、第二ケース部材１２の一方の突出部３０Ｌの爪部３２Ｌが第一ケース部材１１の他方の突出部３１Ｒの係合孔３５Ｒにアンダーカット嵌合されている。
【００３０】
次に、上記した構成からなるコンタクトレンズケース１の作用について説明する。
【００３１】
コンタクトレンズケース１を水洗した後に自然乾燥する際には、まず、図１、図２に示すように、第一蓋部２１Ｒ及び第二蓋部２１Ｌをそれぞれ開いた状態にする。また、第一ケース部材１１及び第二ケース部材１２は第一連結部２９Ｒ及び第二連結部２９Ｌを介して連結させておく。
次に、図６に示すように、ケース本体部２を上下に反転させて裏返して、第一蓋部２１Ｒ及び第二蓋部２１Ｌの下向きに突出した脚部２８Ｒ，２８Ｌを接地面Ｘにそれぞれ接地させる。これにより、コンタクトレンズケース１は、裏返した姿勢で安定して自立する。そして、この姿勢でコンタクトレンズケース１を自然乾燥する。
【００３２】
また、コンタクトレンズケース１を第一ケース部材１１と第二ケース部材１２とに分離させる際には、図７に示すように、第一ケース部材１１と第二ケース部材１２とを平面視横方向に延在する回転中心線Ｑ回りに相対的に回転させる。これにより、第一ケース部材１１の一方の突出部３０Ｒが第二ケース部材１２の他方の突出部３１Ｌの窪み部３４Ｌの内側から外れて第一ケース部材１１の一方の突出部３０Ｒの爪部３２Ｒが第二ケース部材１２の他方の突出部３１Ｌの係合孔３５Ｌから抜け出ると共に、第二ケース部材１２の一方の突出部３０Ｌが第一ケース部材１１の他方の突出部３１Ｒの窪み部３４Ｒの内側から外れて第二ケース部材１２の一方の突出部３０Ｌの爪部３２Ｌが第一ケース部材１１の他方の突出部３１Ｒの係合孔３５Ｒから抜け出て、第一連結部２９Ｒと第二連結部２９Ｌとの結合が外れる。その結果、第一ケース部材１１と第二ケース部材１２とが分離可能となる。
なお、第一ケース部材１１（第二ケース部材１２）の一方の突出部３０Ｒ（３０Ｌ）と他方の突出部３１Ｒ（３１Ｌ）とは、前記回転中心線Ｑ回りに、１８０度の回転対称形状となっている。
【００３３】
また、分離された第一ケース部材１１及び第二ケース部材１２を連結させる際には、まず、図７に示すように、第一ケース部材１１の爪部３２Ｒの下端が第二ケース部材１２の窪み部３４Ｌの傾斜面３６Ｌに摺接すると共に第二ケース部材１２の爪部３２Ｌの下端が第一ケース部材１１の窪み部３４Ｒの傾斜面３６Ｒに摺接する位置に第一ケース部材１１と第二ケース部材１２とを配置する。その後、第一ケース部材１１と第二ケース部材１２とを、上述した連結解除の時とは反対方向に回転中心線Ｑ回りに相対的に回転させる。これにより、第一ケース部材１１の一方の突出部３０Ｒが第二ケース部材１２の他方の突出部３１Ｌの窪み部３４Ｌの内側に嵌め込まれて第一ケース部材１１の一方の突出部３０Ｒの爪部３２Ｒが第二ケース部材１２の他方の突出部３１Ｌの係合孔３５Ｌに挿入されると共に、第二ケース部材１２の一方の突出部３０Ｌが第一ケース部材１１の他方の突出部３１Ｒの窪み部３４Ｒの内側に嵌め込まれて第二ケース部材１２の一方の突出部３０Ｌの爪部３２Ｌが第一ケース部材１１の他方の突出部３１Ｒの係合孔３５Ｒに挿入され、第一連結部２９Ｒと第二連結部２９Ｌとが結合される。その結果、第一ケース部材１１と第二ケース部材１２とが連結される。
【００３４】
また、上述したように第一ケース部材１１と第二ケース部材１２とを相対的に回転させる際、上記した窪み部３４Ｌ，３４Ｒの内壁面が爪部３２Ｒ，３２Ｌの傾斜面３３Ｒ，３３Ｌ上を摺動すると共に、爪部３２Ｌ，３２Ｒの下端が窪み部３４Ｒ，３４Ｌの傾斜面３６Ｒ，３６Ｌ上を摺動するので、第一ケース部材１１と第二ケース部材１２とが容易に回転する。
なお、上記した「回転中心線Ｑ」は、図１に示すように平面視において２本の中心軸線ＯＲ，ＯＬ同士を結ぶ仮想線であり、図７に示すように縦断面視において一方の突出部３０Ｒ（３０Ｌ）の下面と他方の突出部３１Ｒ（３１Ｌ）の窪み部３４Ｒ（３４Ｌ）の底面とを結ぶ線の真中位置を通る仮想線である。
【００３５】
上記したコンタクトレンズケース１によれば、裏返した姿勢で安定して自立させることができるので、第一、第二収容部２０Ｒ，２０Ｌの内部の液切れが良くなり、コンタクトレンズケース１単体で良好な自然乾燥を行うことができる。
特に、上記したコンタクトレンズケース１では、第一蓋部２１Ｒ及び第二蓋部２１Ｌがそれぞれ開いた状態で、平面視において第一蓋部２１Ｒ及び第二蓋部２１Ｌが互いに中心点Ｐ回りに１８０度回転対称の位置に配設されていると共に、第一蓋部２１Ｒの脚部２８Ｒ，２８Ｒ及び第二蓋部２１Ｌの脚部２８Ｌ，２８Ｌが互いに中心点Ｐ回りに１８０度回転対称の位置に配設されているため、コンタクトレンズケース１を裏返した姿勢で自立させたときの安定感が向上する。これにより、より簡単にコンタクトレンズケース１を裏返した姿勢で自立させることができる。
【００３６】
また、上記したコンタクトレンズケース１では、第一収容部２０Ｒ及び第一蓋部２１Ｒを有する第一ケース部材１１と第二収容部２０Ｌ及び第二蓋部２１Ｌを有する第二ケース部材１２とが別体に形成されているため、第一蓋部２１Ｒと第二蓋部２１Ｌとの色分けを行うことが可能である。これにより、二色成形を行うことなく、左右が認識しやすいコンタクトレンズケース１を製造することができる。
【００３７】
また、第一ケース部材１１と第二ケース部材１２とは第一連結部２９Ｒ及び第二連結部２９Ｌを介して着脱可能に連結されており、第一連結部２９Ｒと第二連結部２９Ｌの結合を外すことで第一ケース部材１１と第二ケース部材１２とを分離させることが可能であるので、第一ケース部材１１と第二ケース部材１２を重ね合わせた状態で携帯したり保管したりすることも可能であり、また、第一ケース部材１１と第二ケース部材１２とのうちの何れか一方だけを持ち運ぶことも可能である。これにより、コンタクトレンズケース１の使い易さを向上させることができる。
【００３８】
また、上記したコンタクトレンズケース１では、爪部３２Ｒ，３２Ｌに傾斜面３３Ｒ，３３Ｌが形成されていると共に、窪み部３４Ｒ，３４Ｌの縁部に傾斜面３６Ｒ，３６Ｌが形成されており、第一ケース部材１１と第二ケース部材１２とを回転中心線Ｑ回りに容易に相対回転させることができるので、第一ケース部材１１と第二ケース部材１２との分離時や連結時の操作性を向上させることができる。
【００３９】
また、上記したコンタクトレンズケース１では、第一蓋部２１Ｒ及び第二蓋部２１Ｌが閉じられたときに、脚部２８Ｒ，２８Ｌが第一収容部２０Ｒや第二収容部２０Ｌの外部にそれぞれ配置されるので、接地面の埃などが脚部２８Ｒ，２８Ｌに付着した場合であっても、コンタクトレンズを収容する空間を清潔に保つことができる。
【００４０】
以上、本発明に係るコンタクトレンズケースの実施の形態について説明したが、本発明は上記した実施の形態に限定されるものではなく、その趣旨を逸脱しない範囲で適宜変更可能である。
例えば、本発明は、上記した構成の連結部２９Ｒ，２９Ｌに限定されず、他の構成の結合部を用いることも可能であり、図８、図９に示すように、一方の突出部１３０Ｒ，１３０Ｌの下面に、先端部が拡径されたボス部１３２Ｒ，１３２Ｌが垂下され、他方の突出部１３１Ｒ，１３１Ｌにテーパー状のボス孔１３５Ｒ．１３５Ｌが形成されており、第一ケース部材１１のボス部１３２Ｒを第二ケース部材１２のボス孔１３５Ｌに挿入してアンダーカット嵌合させると共に、第二ケース部材１２のボス部１３２Ｌを第一ケース部材１１のボス孔１３５Ｒに挿入してアンダーカット嵌合させることで、第一ケース部材１１と第二ケース部材１２とを連結させる構成であってもよい。
【００４１】
また、上記した実施の形態では、第一蓋部２１Ｒ及び第二蓋部２１Ｌに一対の脚部２８Ｒ，２８Ｒ，２８Ｌ，２８Ｌがそれぞれ設けられているが、本発明は、脚部の数は適宜変更可能であり、例えば、脚部が１つであってもよく、或いは３つ以上の脚部が設けられていてもよい。
【００４２】
また、上記した実施の形態では、第一蓋部２１Ｒが平面視横方向の一方側に開き、第二蓋部２１Ｌが平面視横方向の他方側に開くため、第一蓋部２１Ｒ及び第二蓋部２１Ｌがそれぞれ開いた状態では、第一、第二収容部２０Ｒ、２０Ｌ及び第一、第二蓋部２１Ｒ、２１Ｌが一列に並設されるが、本発明は、第一蓋部２１Ｒや第二蓋部２１Ｌが他の方向に開く構成であってもよい。例えば、第一蓋部２１Ｒが平面視縦方向の一方側に開き、第二蓋部２１Ｌが平面視縦方向の他方側に開く構成であってもよい。
【００４３】
また、上記した実施の形態では、第一収容部２０Ｒを有する第一ケース部材１１と第二収容部２０Ｌを有する第二ケース部材１２とに分離可能な構成となっているが、本発明は、ケース本体部が一部品からなり、第一収容部及び第二収容部が一体に形成された構成であってもよい。
さらに、第一ケース部材１１と第二ケース部材１２とを別体で構成する場合においても、両者を同一形状にすることに限定されず、例えば第一蓋部と第二蓋部の形状を異ならせることなどによって、両ケース部材の識別性を高めることも可能である。
なお、第一、第二蓋部が開放状態にあるときに、その蓋部に当接する規制部（例えば、第一、第二収容部２０Ｒ，２０Ｌや第一、第二外殻部２３Ｒ，２３Ｌの外面に形成された突部）を設け、乾燥操作時における第一、第二蓋部の開放角度を一定に維持する構成を採用することもできる。
【００４４】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４５】
１  コンタクトレンズケース
２  ケース本体部
２０Ｒ  第一収容部
２０Ｌ  第二収容部
２１Ｒ  第一蓋部
２１Ｌ  第二蓋部
２２Ｒ  ヒンジ
２２Ｌ  ヒンジ
２８Ｒ  脚部
２８Ｌ  脚部
２９Ｒ  第一連結部（連結部）
２９Ｌ  第二連結部（連結部）
【図１】
0005707155.tif 000002
【図２】
0005707155.tif 000003
【図３】
0005707155.tif 000004
【図４】
0005707155.tif 000005
【図５】
0005707155.tif 000006
【図６】
0005707155.tif 000007
【図７】
0005707155.tif 000008
【図８】
0005707155.tif 000009
【図９】
0005707155.tif 000010